(57)【要約】【課題】塵埃の侵入を回避すると共に薄厚に形成する。【解決手段】主板１１の外縁部に側壁１２が設けられて互いに嵌め合わせ可能に形成されたハーフ２ａ，２ｂを備えると共に、ハーフ２ａ，２ｂを嵌め合わせることで形成される内部空間に一対の光ディスク９を収容可能に構成され、ハーフ２ａ，２ｂは、収容位置Ｐに向けて主板１１に沿って側方から光ディスク９を挿入可能な挿入部２２が外縁部の一部の箇所に形成されると共に、主板１１から離間する方向への収容位置Ｐからの光ディスク９の離脱を規制する離脱規制片１４がそれぞれ形成され、かつ、ハーフ２ａ，２ｂを嵌め合わせた状態において、ハーフ２ａにおける側壁１２ｂによってハーフ２ｂの挿入部２２を閉塞すると共にハーフ２ｂにおける側壁１２ｂによってハーフ２ａの挿入部２２を閉塞するように各一部の側壁１２が高背に形成されている。【選択図】図１
2007320627.tif 000002
【特許請求の範囲】
【請求項１】
主板の外縁部に側壁が設けられて互いに嵌め合わせが可能な浅皿状に形成された第１ハーフおよび第２ハーフを備えると共に、当該両ハーフを嵌め合わせることによって形成される内部空間に一対のディスク状情報媒体を収容可能に構成され、
前記両ハーフは、前記主板上の媒体収容位置に向けて当該各ハーフの側方から当該主板に沿って前記ディスク状情報媒体を挿入可能な媒体挿入部が前記外縁部の一部の箇所にそれぞれ形成されると共に、前記主板から離間する方向への前記媒体収容位置からの前記ディスク状情報媒体の離脱を規制する離脱規制片がそれぞれ形成され、かつ、当該両ハーフを嵌め合わせた状態において、当該第１ハーフにおける前記側壁の一部によって当該第２ハーフの前記媒体挿入部を閉塞すると共に当該第２ハーフにおける前記側壁の一部によって当該第１ハーフの前記媒体挿入部を閉塞するように当該各一部の側壁が高背に形成されている情報媒体収容ケース。
【請求項２】
前記両ハーフが連結部を介して一体的に連結されて構成されている請求項１記載の情報媒体収容ケース。
【発明の詳細な説明】
【技術分野】
【０００１】
本発明は、一対のディスク状情報媒体を収容可能に構成された情報媒体収容ケースに関するものである。
【背景技術】
【０００２】
この種の情報媒体収容ケースとして、一対のディスク体を収容可能に構成されたディスク収納ケースが特開平１１−９１８４７号公報に開示されている。このディスク収納ケースは、ベースプレートと、ベースプレートに軸支されたカバープレートとを備え、両プレートに対してディスク体をそれぞれ１枚ずつ保持可能に構成されている。この場合、図６に示すように、このディスク収納ケース１ｘ（以下、このディスク収納ケースを構成する各構成要素や収納対象のディスク体については、符号の末尾に「ｘ」を付して説明する）では、両プレート２ａｘ，２ｂｘにおける基板部１１ｘの中心部にディスク体９ｘを保持するための保持部１５ｘがそれぞれ形成されている。この保持部１５ｘは、基板部１１ｘの中央部に円環状に立設された複数の係合片（突起）３１ｘを備え、ディスク体９ｘにおける中心孔９ａｘを挿通させた各係合片３１ｘの先端部が中心孔９ａｘの口縁部に係合することでディスク体９ｘを両プレート２ａｘ，２ｂｘに保持するように構成されている。
【特許文献１】特開平１１−９１８４７号公報（第４−５頁、第１，２図）
【発明の開示】
【発明が解決しようとする課題】
【０００３】
ところが、従来のディスク収納ケース１ｘには、以下の問題点がある。すなわち、従来のディスク収納ケース１ｘでは、基板部１１ｘの中央部に立設した複数の係合片３１ｘを備えて保持部１５ｘが構成されている。この場合、図６に示すように、この保持部１５ｘでは、ディスク体９ｘを保持した状態において、各係合片３１ｘの先端部がディスク体９ｘから大きく突出した状態となる。また、ディスク収納ケース１ｘの持ち運びに際しては、両基板部１１ｘを接近させるようにして同図に示す矢印Ｂ１，Ｂ２の向きで両プレート２ａｘ，２ｂｘに押圧力が加えられることがある。この場合、ベースプレート２ａｘ側の各係合片３１ｘにおける先端部と、カバープレート２ｂｘ側の各係合片３１ｘにおける先端部とが接した状態において矢印Ｂ１，Ｂ２の向きで押圧力が加えられて両基板部１１ｘが内側に変形させられたときには、各係合片３１ｘが弾性変形させられてディスク体９ｘに対する係合が解除されて、両保持部１５ｘからディスク体９ｘが離脱することとなる。したがって、持ち運び時等におけるディスク体９ｘの意図しない離脱を回避するためには、押圧力が加わっていない状態において、ベースプレート２ａｘ側の各係合片３１ｘにおける先端部と、カバープレート２ｂｘ側の各係合片３１ｘにおける先端部とを十分に離間させておく必要がある。
【０００４】
このように、従来のディスク収納ケース１ｘでは、各ディスク体９ｘを保持している状態の係合片３１ｘの突出量（高さＨｘ）と、両保持部１５ｘにおける係合片３１ｘの間に設ける隙間Ｓｘとの和である距離Ｌｘだけ、ディスク収納ケース１ｘ内において両ディスク体９ｘを離間させておく必要がある。このため、従来のディスク収納ケース１ｘには、全体としての厚みＴｘを薄くするのが困難であるという問題点がある。また、上記のような構成の保持部１５ｘでは、各係合片３１ｘの変形が阻害されることのないように、各係合片３１ｘの間に十分な幅のスリット３２ｘが形成されると共に、各係合片３１ｘの先端部が離間させられて丸孔３３ｘが形成されている。したがって、両プレート２ａｘ，２ｂｘを嵌め合わせた状態においても、このスリット３２ｘや丸孔３３ｘを介してディスク収納ケース１ｘの内部と外部とが連通した状態となる。このため、従来のディスク収納ケース１ｘには、スリット３２ｘや丸孔３３ｘからディスク収納ケース１ｘの内部に塵埃が侵入し易く、侵入した塵埃がディスク体９ｘに付着して記録再生エラーを招くおそれがあるという問題点も存在する。
【０００５】
本発明は、かかる問題点に鑑みてなされたものであり、塵埃の侵入を回避すると共に全体としての厚みを薄厚に形成し得る情報媒体収容ケースを提供することを主目的とする。
【課題を解決するための手段】
【０００６】
上記目的を達成すべく本発明に係る情報媒体収容ケースは、主板の外縁部に側壁が設けられて互いに嵌め合わせが可能な浅皿状に形成された第１ハーフおよび第２ハーフを備えると共に、当該両ハーフを嵌め合わせることによって形成される内部空間に一対のディスク状情報媒体を収容可能に構成され、前記両ハーフは、前記主板上の媒体収容位置に向けて当該各ハーフの側方から当該主板に沿って前記ディスク状情報媒体を挿入可能な媒体挿入部が前記外縁部の一部の箇所にそれぞれ形成されると共に、前記主板から離間する方向への前記媒体収容位置からの前記ディスク状情報媒体の離脱を規制する離脱規制片がそれぞれ形成され、かつ、当該両ハーフを嵌め合わせた状態において、当該第１ハーフにおける前記側壁の一部によって当該第２ハーフの前記媒体挿入部を閉塞すると共に当該第２ハーフにおける前記側壁の一部によって当該第１ハーフの前記媒体挿入部を閉塞するように当該各一部の側壁が高背に形成されている。
【０００７】
また、本発明に係る情報媒体収容ケースは、前記両ハーフが連結部を介して一体的に連結されて構成されている。
【発明の効果】
【０００８】
本発明に係る情報媒体収容ケースによれば、媒体収容位置に向けて各ハーフの側方から主板に沿ってディスク状情報媒体を挿入可能な媒体挿入部を外縁部の一部の箇所にそれぞれ形成すると共に、主板から離間する方向への媒体収容位置からのディスク状情報媒体の離脱を規制する離脱規制片をそれぞれ形成し、かつ、両ハーフを嵌め合わせた状態において、第１ハーフにおける側壁の一部によって第２ハーフの媒体挿入部を閉塞すると共に第２ハーフにおける側壁の一部によって第１ハーフの媒体挿入部を閉塞するように各一部の側壁を高背に形成したことにより、情報媒体収容ケース内において両ディスク状情報媒体を十分に接近させた状態で保持することができるため、両ディスク体を大きく離間させておく必要のある従来のディスク収納ケースと比較して、全体としての厚みを十分に薄くすることができる。
【０００９】
また、従来のディスク収納ケースにおける保持部のスリットや丸孔のような構成を不要としつつディスク状情報媒体を保持することができるため、情報媒体情報媒体収容ケースの内部に塵埃が侵入する事態を回避することができる。さらに、第１ハーフに対して第２ハーフを離間させるだけで、第２ハーフの側壁の一部によって閉塞されていた第１ハーフの媒体挿入部を開口すると共に、第１ハーフの側壁の一部によって閉塞されていた第２ハーフの媒体挿入部を開口することができ、第１ハーフに対して第２ハーフを嵌め合わせるだけで、第１ハーフの媒体挿入部を第２ハーフの側壁の一部によって閉塞すると共に、第２ハーフの媒体挿入部を第１ハーフの側壁の一部によって閉塞することができる。したがって、非常に簡易な構成でありながら、収容状態においては塵埃の侵入やディスク状情報媒体の意図しない脱落を確実に回避することができると共に、ディスク状情報媒体の使用に際しては、迅速かつ容易に両ハーフからディスク状情報媒体を取り出すことができる。
【００１０】
また、本発明に係る情報媒体収容ケースによれば、連結部を介して両ハーフを一体的に連結して構したことにより、両ハーフが別個独立して形成されている構成とは異なり、両ハーフのいずれかを紛失する事態を回避することができる。
【発明を実施するための最良の形態】
【００１１】
以下、添付図面を参照して、本発明に係る情報媒体収容ケースの最良の形態について説明する。
【００１２】
図１，２に示す情報媒体収容ケース（以下、「収容ケース」ともいう）１は、一例として、直径８ｃｍの追記型または書換え型の光ディスク９（本発明におけるディスク状情報媒体の一例）を２枚収容可能に構成されたケースであって、連結部３を介してハーフ２ａ，２ｂが樹脂材料（一例として、ポリプロピレンやポリエチレン）で一体的に連結されて構成されている。なお、収容ケース１を成形するための樹脂材料は、上記の例示に限定されるものではなく、各種樹脂材料を採用することができる。
【００１３】
ハーフ２ａ，２ｂは、本発明における第１ハーフおよび第２ハーフに相当し、方形薄板状の主板１１における外縁部に側壁１２が設けられて互いに嵌め合わせが可能な浅皿状に形成されている。このハーフ２ａ，２ｂは、連結部３との接合部位を折り曲げるようにして互いに嵌め合わせることにより、一対の光ディスク９，９を収容可能な内部空間（収容空間）Ｓ１を形成可能に構成されている（図３参照）。また、両ハーフ２ａ，２ｂは、主板１１上の収容位置Ｐ（本発明における媒体収容位置）に向けて各ハーフ２ａ，２ｂの側方から矢印Ａ１，Ａ２の向きで主板１１に沿って光ディスク９を挿入可能な挿入部２２（本発明における媒体挿入部）が主板１１の外縁部における一部の箇所にそれぞれ形成されている。
【００１４】
この場合、この収容ケース１では、ハーフ２ａに対する光ディスク９の挿入方向と、ハーフ２ｂに対する光ディスク９の挿入方向とが１８０°正反対となるように連結部３を介してハーフ２ａ，２ｂが連結されている。また、この収容ケース１では、側壁１２を部分的に低背に形成することで挿入部２２が形成されている。以下、側壁１２において低背に形成されている部位を側壁１２ａともいう。この場合、側壁１２ａは必ずしも必要な構成要素ではなく、側壁１２ａの上端部を主板１１の表面と面一になるまで低く形成することで、つまり側壁１２を実質的には設けないで、挿入部２２として機能させることもできる。
【００１５】
また、両ハーフ２ａ，２ｂには、挿入部２２から挿入された光ディスク９を収容位置Ｐに案内するための一対の案内壁１３ａと、収容位置Ｐまで挿入された光ディスク９が当接可能な平面視円弧状のストッパ１３ｂとが主板１１に立設されている。この場合、案内壁１３ａおよびストッパ１３ｂの基端部には、光ディスク９における外縁部が接触可能に主板１１の表面よりも一段高く形成されて、後述するように収容位置Ｐに向けて移動させられている状態の光ディスク９、収容位置Ｐに収容された状態の光ディスク９、および光ディスク９から挿入部２２に向けて移動させられている状態の光ディスク９の情報記録領域を主板１１の表面に対して非接触の状態に維持するスペーサ１１ａが形成されている。さらに、両ハーフ２ａ，２ｂには、挿入された光ディスク９の主板１１から離間する方向への離脱（主板１１から離間する方向への光ディスクの移動）を規制する断面Ｌ字状の一対の離脱規制片１４が形成されて保持部１５が構成されている。
【００１６】
また、このハーフ２ａ，２ｂでは、両ハーフ２ａ，２ｂを嵌め合わせた状態において、ハーフ２ａにおける側壁１２の一部によってハーフ２ｂの挿入部２２を閉塞すると共に、ハーフ２ｂにおける側壁１２の一部によってハーフ２ａの挿入部２２を閉塞するように側壁１２の一部が高背に形成されている。以下、側壁１２において高背に形成されている上記の一部を側壁１２ｂともいう。この場合、この収容ケース１では、ハーフ２ａに対する光ディスク９の挿入方向と、ハーフ２ｂに対する光ディスク９の挿入方向とが１８０°正反対となるように連結部３を介してハーフ２ａ，２ｂが連結されている。したがって、挿入部２２を閉塞するための側壁１２ｂが、両ハーフ２ａ，２ｂにおいて互い違いの部位に形成されている。
【００１７】
さらに、両ハーフ２ａ，２ｂの主板１１には、収容位置Ｐに収容されている光ディスク９の取り出しに際して、中心孔９ａに対して一層深くまで指を挿入可能とするための凹部２１が形成されている。また、両ハーフ２ａ，２ｂには、両ハーフ２ａ，２ｂを互いに嵌め合わせた状態に維持するためのロック用爪部１６ａ，１６ａおよびロック用爪部１６ｂ，１６ｂが、ハーフ２ａ，２ｂに形成されている。
【００１８】
この収容ケース１に対する光ディスク９の収容に際しては、各ハーフ２ａ，２ｂに対して側方から光ディスク９を収容位置Ｐに挿入する。具体的には、まず、ハーフ２ａに対してハーフ２ｂを回動させて互いに離間させることにより、図２に示すように、両ハーフ２ａ，２ｂの上面開口部位を開口する。この場合、この情報媒体収容ケース１では、両ハーフ２ａ，２ｂが連結部３を介して一体的に連結されているため、後述するように、例えばハーフ２ａに対して光ディスク９を挿入している間に、ハーフ２ｂをいずれかの部位に置き忘れて紛失するといった事態を回避することができる。次いで、一例として、光ディスク９の中心孔９ａに人差し指を挿入すると共に外縁部に親指を添えることにより、人差し指と親指とで光ディスク９を挟持する。続いて、その状態の光ディスク９をハーフ２ａの挿入部２２に矢印Ａ１の向きで主板１１に沿って挿入して、光ディスク９の外縁部をスペーサ１１ａ上に載置する。次いで、光ディスク９の外縁部に指を添えて矢印Ａ１の向きにさらに押し込む。この際には、一対の案内壁１３ａによって光ディスク９が収容位置Ｐに向けて案内されてストッパ１３ｂに当接する。
【００１９】
この際には、挿入された光ディスク９の外縁部が主板１１および両離脱規制片１４の間に位置させられることにより、主板１１から離間する方向への光ディスク９の離脱が両離脱規制片１４によって規制され、かつ若干の遊動が許容された状態で収容位置Ｐに保持される。これにより、ハーフ２ａに対する光ディスク９の収容が完了する。次いで、上記の方法と同様にして光ディスク９をハーフ２ｂに収容した後に、ハーフ２ａに対してハーフ２ｂを回動させることにより、両ハーフ２ａ，２ｂを互いに嵌め合わせる。この際には、ハーフ２ａの挿入部２２がハーフ２ｂの側壁１２ｂによって閉塞されると共に、ハーフ２ｂの挿入部２２がハーフ２ａの側壁１２ｂによって閉塞される。また、ハーフ２ａのロック用爪部１６ａ，１６ａとハーフ２ｂのロック用爪部１６ｂ，１６ｂとが互いに係合して両ハーフ２ａ，２ｂを嵌め合わせた状態が維持される。これにより、両挿入部２２からの光ディスク９の意図しない脱落、および両挿入部２２からの収容ケース１内への塵埃の侵入が阻止される。
【００２０】
この場合、この収容ケース１では、主板１１に沿って収容位置Ｐに挿入された光ディスク９の主板１１から離間する方向への離脱を一対の離脱規制片１４，１４によって規制することで光ディスク９を収容位置Ｐに保持する構成が採用されている。したがって、従来のディスク収納ケース１ｘにおけるスリット３２ｘや丸孔３３ｘのような構成が不要となっており、これらの部位からの塵埃の侵入が阻止されている。また、複数の係合片３１ｘによってディスク体９ｘを保持するために係合片３１ｘの先端部をディスク体９ｘの表面から大きく突出させる必要のある従来のディスク収納ケース１ｘとは異なり、図３に示すように、収容ケース１内において光ディスク９，９を十分に接近させることが可能となっている。
【００２１】
また、例えば、光ディスク９，９を収容した状態の収容ケース１の持ち運びに際して、両主板１１を互いに接近させるようにして同図に示す矢印Ｂ１，Ｂ２の向きで両ハーフ２ａ，２ｂに押圧力が加えられることがある。この場合、主板１１が内側に向かって変形させられたとしても、保持部１５（離脱規制片１４）による光ディスク９の保持が解除されることなく、収容位置Ｐに保持された状態が常に維持される。したがって、ベースプレート２ａｘ側の各係合片３１ｘにおける先端部と、カバープレート２ｂｘ側の各係合片３１ｘにおける先端部とを隙間Ｓｘだけ離間させておく必要のある従来のディスク収納ケース１ｘと比較して、収容ケース１内において光ディスク９，９を一層接近させることが可能となる。このため、この収容ケース１では、両光ディスク９を距離Ｌだけ離間させればよいため、収容ケース１全体としての厚みＴが従来のディスク収納ケース１ｘにおける厚みＴｘよりも十分に薄くなっている。この場合、一例として、従来のディスク収納ケース１ｘと同様の構成を採用した場合、その厚みＴｘを１２ｍｍ以下に構成するのが困難であるのに対して、この情報媒体収容ケース１では、その厚みＴが１０ｍｍと十分に薄くなっている。
【００２２】
一方、収容ケース１に収容されている光ディスク９を取り出す際には、まず、ハーフ２ａに対してハーフ２ｂを回動させてハーフ２ａの上面開口部位を開口する。次いで、例えば人差し指を光ディスク９の中心孔９ａに挿入した状態で中心孔９ａの口縁を矢印Ａ１とは反対向きに引っ張ることにより、収容位置Ｐから光ディスク９を引き出す。この際には、光ディスク９の外縁部が主板１１および両離脱規制片１４，１４の間に位置しない部位まで引き出された時点において、ハーフ２ａ（主板１１）からの光ディスク９の離脱が許容されて上向きに持ち上げ可能となる。したがって、光ディスク９の外縁部に親指を添えて、中心孔９ａに挿入している人差し指と外縁部に添えた親指とで光ディスク９を挟持してハーフ２ａから持ち上げる。これにより、ハーフ２ａからの光ディスク９の取り出しが完了する。この後、取り出した光ディスク９をビデオカメラ等の記録再生装置にセットすることにより、光ディスク９に対する記録データの書込み、または、光ディスク９に書き込まれている記録データの読出しが行われる。なお、ハーフ２ｂからの光ディスク９の取り出しについても、上記の方法と同様にして行うことで光ディスク９を取り出すことができる。
【００２３】
このように、上記した情報媒体収容ケース１によれば、収容位置Ｐに向けて各ハーフ２ａ，２ｂの側方から主板１１に沿って光ディスク９を挿入可能な挿入部２２を主板２２における外縁部の一部の箇所（この例では、側壁１２ａの部位）にそれぞれ形成すると共に、主板１１から離間する方向への収容位置Ｐからの光ディスク９の離脱を規制する離脱規制片１４，１４をそれぞれ形成し、かつ、両ハーフ２ａ，２ｂを嵌め合わせた状態において、ハーフ２ａにおける側壁の一部（この例では、側壁１２ｂ）によってハーフ２ｂの挿入部２２を閉塞すると共にハーフ２ｂにおける側壁の一部（側壁１２ｂ）によってハーフ２ａの挿入部２２を閉塞するように各一部の側壁を高背に形成したことにより、収容ケース１内において両光ディスク９を十分に接近させた状態で保持することができるため、両ディスク体９ｘを大きく離間させておく必要のある従来のディスク収納ケース１ｘと比較して、全体としての厚みＴを十分に薄くすることができる。
【００２４】
また、従来のディスク収納ケース１ｘにおける保持部１５ｘのスリット３２ｘや丸孔３３ｘのような構成を不要としつつ光ディスク９を保持することができるため、情報媒体収容ケース１の内部に塵埃が侵入する事態を回避することができる。さらに、ハーフ２ａに対してハーフ２ｂを離間させるだけで、ハーフ２ｂの側壁１２ｂによって閉塞されていたハーフ２ａの挿入部２２を開口すると共に、ハーフ２ａの側壁１２ｂによって閉塞されていたハーフ２ｂの挿入部２２を開口することができ、ハーフ２ａに対してハーフ２ｂを嵌め合わせるだけで、ハーフ２ａの挿入部２２をハーフ２ｂの側壁１２ｂによって閉塞すると共に、ハーフ２ｂの挿入部２２をハーフ２ａの側壁１２ｂによって閉塞することができる。したがって、非常に簡易な構成でありながら、収容状態においては塵埃の侵入や光ディスク９の意図しない脱落を確実に回避することができると共に、光ディスク９の使用に際しては、迅速かつ容易にハーフ２ａ，２ｂから光ディスク９を取り出すことができる。
【００２５】
また、この情報媒体収容ケース１によれば、連結部３を介して両ハーフ２ａ，２ｂを一体的に連結して構したことにより、ハーフ２ａ，２ｂが別個独立して形成されている構成とは異なり、ハーフ２ａ，２ｂのいずれかを紛失する事態を回避することができる。
【００２６】
なお、本発明は、上記した構成に限定されない。例えば、上記の情報媒体収容ケース１では、連結部３を介してハーフ２ａ，２ｂが一体的に連結されているが、本発明はこれに限定されず、例えば、上記の情報媒体収容ケース１におけるハーフ２ａ，２ｂを別体に構成して、互いに嵌め合わることで光ディスク９等を収容可能な収容空間を形成するように構成することもできる。このような構成であっても、情報媒体収容ケース１と同様にして、情報媒体収容ケースを十分に薄厚に構成することができると共に塵埃の侵入を回避することができる。
【００２７】
また、上記の情報媒体収容ケース１では、ハーフ２ａに対する光ディスク９の挿入方向（図１，２に示す矢印Ａ１の向き）と、ハーフ２ｂに対する光ディスク９の挿入方向（矢印Ａ２の向き）とが１８０°正反対となるように連結部３を介してハーフ２ａ，２ｂを連結した構成を採用しているが、本発明はこれに限定されない。例えば、図４に示す情報媒体収容ケース１Ａのように、ハーフ２ａに対する光ディスク９の挿入方向（矢印Ａ１の向き）と、ハーフ２ｃ（本発明における第２ハーフの他の一例）に対する光ディスク９の挿入方向（矢印Ａ３の向き）とが直角に交差するように連結部３を介してハーフ２ａ，２ｃを連結する構成を採用することができる。なお、同図に示す情報媒体収容ケース１Ａにおいて上記の情報媒体収容ケース１と同様の構成要素については、同一の符号を付して重複する説明を省略する。
【００２８】
この場合、本発明における第１ハーフに対する挿入方向と、第２ハーフに対する挿入方向とが交差する角度については、情報媒体収容ケース１Ａにような直角に限定されるものではなく、両ハーフを嵌め合わせた状態において、第１ハーフにおける側壁の一部（側壁１２ｂ）によって第２ハーフの媒体挿入部（挿入部２２）が閉塞されると共に第２ハーフにおける側壁の一部（側壁１２ｂ）によって第１ハーフの媒体挿入部（挿入部２２）が閉塞されるように側壁１２を形成可能な限り、その角度を適宜変更することができる。したがって、上記の情報媒体収容ケース１と同様にして、非常に簡易な構成でありながら、収容状態においては塵埃の侵入や光ディスク９の意図しない脱落を好適に回避することができると共に、光ディスク９の使用に際しては、光ディスク９を迅速かつ容易に両ハーフから取り出すことができる。
【００２９】
さらに、上記の情報媒体収容ケース１，１Ａでは、主板１１が平面視方形状に形成されているが、本発明はこれに限定されない。例えば、図５に示す情報媒体収容ケース１Ｂのように、ハーフ２ｄ，２ｅ（本発明における第１ハーフおよび第２ハーフの他の一例）の主板１１を円板状に形成することもできる。なお、同図に示す情報媒体収容ケース１Ｂにおいて上記の情報媒体収容ケース１，１Ａと同様の構成要素については、同一の符号を付して重複する説明を省略する。
【００３０】
また、上記の情報媒体収容ケース１では、連結部３を介して両ハーフ２ａ，２ｂを一体的に連結した構成を採用しているが、本発明はこれに限定されず、両ハーフ２ａ，２ｂを別体に形成して互いに嵌め合わせ可能に構成することができる。この構成では、両ハーフ２ａ，２ｂを嵌め合わせた状態において、ハーフ２ａにおける側壁１２ｂによってハーフ２ｂの挿入部２２を閉塞すると共にハーフ２ｂにおける側壁１２ｂによってハーフ２ａの挿入部２２を閉塞するように側壁１２を形成することで、上記の情報媒体収容ケース１と同様にして、非常に簡易な構成でありながら、収容状態においては塵埃の侵入や光ディスク９の意図しない脱落を好適に回避することができると共に、光ディスク９の使用に際しては、光ディスク９を迅速かつ容易に両ハーフから取り出すことができる。
【００３１】
さらに、本発明における第１ハーフおよび第２ハーフを別体に形成すると共に、例えば第１ハーフに支軸を設け、第２ハーフに軸孔を設けることで、第１ハーフに対して第２ハーフを軸支させて支軸を中心として回動させて嵌め合わせる構成を採用することもできる。この構成を採用する場合、支軸や軸孔の口縁部の破損を回避するために、一例として、ポリカーボネート、ポリスチレンおよびＡＢＳ等の樹脂材料で両ハーフを成形するのが好ましい。また、本発明における情報媒体収容ケースに収容するディスク状情報媒体としては、上記した光ディスク９に限定されず、再生専用タイプの光ディスクが含まれる。さらに、光ディスクのみならず、光磁気ディスク、磁気ディスクおよびメモリカード等の各種のディスク状情報媒体が含まれる。
【図面の簡単な説明】
【００３２】
【図１】情報媒体収容ケース１の外観斜視図である。
【図２】情報媒体収容ケース１の平面図である。
【図３】情報媒体収容ケース１の断面図である。
【図４】情報媒体収容ケース１Ａの平面図である。
【図５】情報媒体収容ケース１Ｂの平面図である。
【図６】従来のディスク収納ケース１ｘの断面図である。
【符号の説明】
【００３３】
１，１Ａ，１Ｂ  情報媒体収容ケース
２ａ〜２ｅ  ハーフ
３  連結部
９  光ディスク
１１  主板
１２，１２ａ，１２ｂ  側壁
１３ｂ  ストッパ
１３ａ  案内壁
１４  離脱規制片
１５  保持部
２２  挿入部
Ｐ  収容位置
Ｓ１  内部空間
Ｔ  厚み
【図１】
2007320627.tif 000003
【図２】
2007320627.tif 000004
【図３】
2007320627.tif 000005
【図４】
2007320627.tif 000006
【図５】
2007320627.tif 000007
【図６】
2007320627.tif 000008